(57)【特許請求の範囲】
【請求項１】
エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、前記ドレン水ポットの下部に接続し圧縮空気の力でドレン水を排出するドレン水排出電磁弁と、前記ドレン水確認手段の情報によって前記ドレン水排出電磁弁の制御を行なう制御装置を構成する自動ドレン水排出装置に於いて、
前記ドレン水ポットの上部に接続して、前記ドレン水ポット内を減圧し、流れる気体の流量を調整することが出来る気体排出手段を設けたことを特徴とする自動ドレン水排出装置。
【請求項２】
前記ドレン水ポットに異物を分離するストレーナを構成したことを特徴とする請求項１に記載の自動ドレン水排出装置。
【請求項３】
前記ドレン水ポットにドレン水を受入れるドレン水配管を、内径６ｍｍ以上の物を使用して接続したことを特徴とする請求項１または請求項２に記載の自動ドレン水排出装置。
【請求項４】
前記気体排出手段の下流を、前記ドレン水排出電磁弁の下流に接続したことを特徴とする請求項１ないし請求項３のいずれか１項に記載の自動ドレン水排出装置。
【請求項５】
前記気体排出手段は、気体を排出する気体排出電磁弁と、流量調整弁を構成したものであることを特徴とする請求項１ないし請求項４のいずれか１項に記載の自動ドレン水排出装置。
【請求項６】
前記気体排出電磁弁は、一定の時間毎に一定の時間の間、流体を排出するものであることを特徴とする請求項５に記載の自動ドレン水排出装置。
【請求項７】
エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、前記ドレン水ポットの下部に接続し圧縮空気の力でドレン水を排出するドレン水排出電磁弁と、前記ドレン水確認手段の情報によって前記ドレン水排出電磁弁の制御を行なう制御装置を構成する自動ドレン水排出方法に於いて、
ドレン水の流入が容易なように、前記ドレン水ポットの内部の上部に気体排出手段を接続することによって一定時間毎に減圧させ、流れる気体の流量を調整することが出来ることを特徴とする自動ドレン水排出方法。
【請求項８】
前記気体排出手段の下流を、前記ドレン水排出電磁弁の下流に接続したことを特徴とする請求項７に記載の自動ドレン水排出方法。
【請求項９】
前記ドレン水排出電磁弁は、前記ドレン水確認手段の下限を検知したら作動を停止し、前記ドレン水確認手段の上限を検知したら、または前記ドレン水排出電磁弁の作動を停止してから一定時間経過後、作動を開始することを特徴とする請求項７または請求項８に記載の自動ドレン水排出方法。
【発明の詳細な説明】
【技術分野】
【０００１】  本発明は、自動ドレン水排出装置および排出方法に関する技術であって、更に詳細に述べると、エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、ドレン水ポットの下部に接続し圧縮空気の力でドレン水を排出するドレン水排出電磁弁と、ドレン水確認手段の情報によってドレン水排出電磁弁の制御を行なう制御装置を構成する自動ドレン水排出装置に於いて、ドレン水ポットの上部に接続して、ドレン水ポット内を減圧する気体排出手段を設けたことによって、ドレン水ポット内に圧縮空気が入り込むことにより、ドレン水が流入しにくくなるのを防止する技術について述べたものである。
【背景技術】
【０００２】  従来の、自動ドレン水排出装置および排出方法に関する技術としては、自動ドレン排出方法および装置や、ドレン水の排出方法および排出装置が見られる（例えば、特許文献１、特許文献２参照）。
【先行技術文献】
【特許文献】
【０００３】  従来の、自動ドレン排出方法および装置について、特許文献１によって説明する。【０００４】  この場合、特許文献１には、圧縮空気２１０より露化することで発生したドレン水２２０を排出するドレン排出弁２０の直前に、前記圧縮空気２１０や前記ドレン水２２０や前記ドレン水２２０に覆われた状態の密閉圧縮空気２３０が滞留している際の自動ドレン排出方法において、前記密閉圧縮空気２３０を排出する目的で、前記ドレン排出弁２０を一定の周期で一定の微小時間の間、常に開放する技術が記載されている。
【特許文献１】  特開２００２−２７６８４２
【０００５】  更に、ドレン水の排出方法および装置について、特許文献２によって説明する。【０００６】  尚、特許文献２には、圧縮空気から発生したドレン水を狭くなった配管部２０、１１１、１１２を経由してドレン検出槽３０Ａに貯留した状態から一定の周期Ｔで排出するに際し、前記ドレン検出槽３０Ａ内に位置しているドレン水検知手段３５がドレン水の存在を感知している場合は感知している間、前記ドレン水検知手段３５がドレン水の存在を感知していない場合は減圧の目的で微小時間Δｔの間、ドレン水の排出を行う技術が記載されている。
【特許文献２】  特開２００４−２５７５４５
【発明の概要】
【発明が解決しようとする課題】
【０００７】  しかしながら、このような従来の、自動ドレン排出方法および装置に関しては、以下に示すような課題があった。【０００８】  ここで、ドレン排出弁２０が作動してドレン水が排出された後の、ドレン水が貯留されていく順序を考えると、先ずドレン検出センサー部１０ｂに、次にドレン排出管１０ａに、最後にエアータンク１０下部にドレン水が貯留されてゆく。  そして、図１〜図３に見られるように、ドレン排出管１０ａの内径が狭ければ狭い程、図３に見られるような密閉圧縮空気２３０が発生することになる。  この場合、一定の周期で一定の微小時間の間ドレン排出弁２０を開放する動作は、密閉圧縮空気２３０が存在する間は、意味ある動作であるが、密閉圧縮空気２３０が存在しなくなると、あまり意味の無い動作を繰り返していることになると言える。【０００９】  そして、時には図３に見られるように、ドレン検出センサー部１０ｂに密閉圧縮空気２３０が存在する際に、具体的に図示されていないが、ドレン排出弁２０の上部にドレン水２２０が、更にその上部に密閉圧縮空気２３０が存在するという状況も考えられる。  この場合、ドレン水２２０の存在が多ければ多いほど、必要とする密閉圧縮空気２３０の排出に至るまでに、ドレン水２２０を排出するための無駄な時間を必要としていた。特に、ドレン検出センサー部１０ｂの容量が大きければ大きいほど、その可能性は増してくるのである。【００１０】  また、このような従来の、ドレン水の排出方法および排出装置に関しては、以下に示すような課題があった。【００１１】  先ず、ドレン検出槽３０Ａ内のドレン水が概ね排出された後に、圧縮空気から発生したドレン水が狭くなった配管部２０、１１１、１１２に位置することで、ドレン検出槽３０Ａ内の圧縮空気を閉じ込めている場合には、微小時間Δｔの排出によって減圧には非常に効果を確認することが出来る。  一方、ドレン検出槽３０Ａ内にドレン水が下部から満たされる場合には、微小時間Δｔの排出によって無駄な動作を行なうことになる。  更に、ドレン検出槽３０Ａ内のドレン水が完全に排出されなかった後に、またドレン検出槽３０Ａ内にドレン水が一部流入した後に、ドレン水が狭くなった配管部２０、１１１、１１２に位置すると、微小時間Δｔの排出を何回か行なっても効果を確認することが出来ない。特に、ドレン水検出手段と排出弁に接続するドレン水配管の位置が離れていればいる程、またドレン検出槽の容量が大きければ大きい程、効果を確認することが出来ないことが顕著となる。
【課題を解決するための手段】
【００１２】  本発明は、エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、前記ドレン水ポットの下部に接続し圧縮空気の力でドレン水を排出するドレン水排出電磁弁と、前記ドレン水確認手段の情報によって前記ドレン水排出電磁弁の制御を行なう制御装置を構成する自動ドレン水排出装置に於いて、前記ドレン水ポットの上部に接続して、前記ドレン水ポット内を減圧し、流れる気体の流量を調整することが出来る気体排出手段を設けたことを特徴とし、更には、前記ドレン水ポットに異物を分離するストレーナを構成したことを特徴とし、更には、前記ドレン水ポットにドレン水を受入れるドレン水配管を、内径６ｍｍ以上の物を使用して接続したことを特徴とし、更には、前記気体排出手段の下流を、前記ドレン水排出電磁弁の下流に接続したことを特徴とし、更には、前記気体排出手段は、気体を排出する気体排出電磁弁と、流量調整弁を構成したものであることを特徴とし、更には、前記気体排出電磁弁は、一定の時間毎に一定の時間の間、流体を排出するものであることを特徴とすることによって、上記課題を解決したのである。【００１３】  また、本発明は、エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、前記ドレン水ポットの下部に接続し圧縮空気の力でドレン水を排出するドレン水排出電磁弁と、前記ドレン水確認手段の情報によって前記ドレン水排出電磁弁の制御を行なう制御装置を構成する自動ドレン水排出方法に於いて、ドレン水の流入が容易なように、前記ドレン水ポットの内部の上部に気体排出手段を接続することによって一定時間毎に減圧させ、流れる気体の流量を調整することが出来ることを特徴とし、更には、前記気体排出手段の下流を、前記ドレン水排出電磁弁の下流に接続したことを特徴とし、更には、前記ドレン水排出電磁弁は、前記ドレン水確認手段の下限を検知したら作動を停止し、前記ドレン水確認手段の上限を検知したら、または前記ドレン水排出電磁弁の作動を停止してから一定時間経過後、作動を開始することを特徴とすることによって、上記課題を解決したのである。
【発明の効果】
【００１４】  以上の説明から明らかなように、本発明によって、以下に示すような効果をあげることが出来る。【００１５】  第一に、エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、ドレン水ポットの下部に接続し圧縮空気の力でドレン水を排出するドレン水排出電磁弁と、ドレン水確認手段の情報によってドレン水排出電磁弁の制御を行なう制御装置を構成する自動ドレン水排出装置に於いて、ドレン水ポットの上部に接続して、ドレン水ポット内を減圧する気体排出手段を設けたことで、ドレン水ポット内に滞留している密閉された圧縮空気を、確実に排出することが可能となった。【００１６】  第二に、ドレン水ポットに異物を分離するストレーナを構成したことで、異物を含んだドレン水が流入して来ても、ドレン水ポット内に滞留している密閉された圧縮空気を、確実に排出することが可能となった。【００１７】  第三に、ドレン水ポットにドレン水を受入れるドレン水配管を、内径６ｍｍ以上の物を使用して接続したことで、ドレン水ポット内に圧縮空気が密閉されることを防止しながら、ドレン水ポット内に滞留している密閉された圧縮空気を、確実に排出することが可能となった。【００１８】  第四に、気体排出手段の下流を、ドレン水排出電磁弁の下流に接続したことで、ドレン水を含む圧縮空気の排出で周囲を汚すこと無く、ドレン水ポット内に滞留している密閉された圧縮空気を、確実に排出することが可能となった。【００１９】  第五に、気体排出手段は、気体を排出する気体排出電磁弁であることで、世の中に存在する一般的な機器により、ドレン水ポット内に滞留している密閉された圧縮空気を、確実に排出することが可能となった。【００２０】  第六に、気体排出電磁弁は、一定の時間毎に一定の時間の間、流体を排出するものであることで、一般的な方法ではあるが、無駄なく、ドレン水ポット内に滞留している密閉された圧縮空気を、確実に排出することが可能となった。【００２１】  第七に、ドレン水排出電磁弁は、ドレン水確認手段の下限を検知したら作動を停止し、ドレン水確認手段の上限を検知したら、またはドレン水排出電磁弁の作動を停止してから一定時間経過後、作動を開始することで、一般的な方法ではあるが、無駄なく、ドレン水を排出しながら、ドレン水ポット内に滞留している密閉された圧縮空気を、確実に排出することが可能となった。【００２２】  第八に、気体排出電磁弁は、１〜５分の時間毎に対し、０．５〜１０秒の短時間の排出であることで、一般的な方法ではあるが、無駄なく、ドレン水ポット内に滞留している密閉された圧縮空気を、確実に排出することが可能となった。
【図面の簡単な説明】
【００２３】
【図１】  本願発明の全体を示した図
【図２】  制御装置に於いてドレン水の上昇とドレン水排出電磁弁の作動の関係を示した図
【図３】  制御装置に於いて気体排出電磁弁の作動を示した図
【図４】  本願発明の全体を示した別の図
【図５】  制御装置に於いてドレン水の上昇とドレン水排出電磁弁の作動の関係を示した別の図
【発明を実施するための形態】
【００２４】  以下、本発明の実施の形態を図面と共に詳細に説明する。
ここで、図１は、本願発明の全体を示した図であり、図２は、制御装置に於いてドレン水の上昇とドレン水排出電磁弁の作動の関係を示した図であり、図３は、制御装置に於いて気体排出電磁弁の作動を示した図であり、図４は、本願発明の全体を示した別の図であり、図５は、制御装置に於いてドレン水の上昇とドレン水排出電磁弁の作動の関係を示した別の図である。
【００２５】〔第一実施例〕
図１に見られるように、１０はエアーコンプレッサであり、図１には具体的に示していないが、大気２０１を吸引して圧縮空気を作り出す空気圧縮機と、空気圧縮機を回転運動させる電動機を構成している。
【００２６】  先ず、エアーコンプレッサ１０を構成している空気圧縮機によって作り出された圧縮空気は、圧縮空気を流出させる圧縮空気配管１０１と、圧縮空気を乾燥させるエアードライヤーや圧縮空気を貯蔵するエアータンクや圧縮空気に含まれている塵等の各種の異物を除去するフィルター等の各種空圧機器２０と、圧縮空気を流出させる圧縮空気配管１０２を経由することによって、圧縮空気２０２をエアーモータやエアーシリンダの各種のアクチュエータに供給することが可能となっている。  尚、各種空圧機器２０に関しては、一組の機器に限定する必要はなく、二組でも、三組でも、四組でも、それ以上を構成しても構わない。
【００２７】  この場合、各種空圧機器２０で発生したドレン水は圧縮空気と共に、ドレン水配管１１１を経由して自動ドレン水排出装置１に位置しているドレン水入口１ａに送り込まれるようになっている。  当然の事ながら、各種空圧機器２０で同じ種類の機器を、また違った種類の機器を複数組使用する場合には、更にこれ等を混合して使用する場合には各種空圧機器２０で個々に発生したドレン水は、合流してドレン水入口１ａに送り込まれることになる。
【００２８】  尚、自動ドレン水排出装置１は、ドレン水入口１ａに加えて、圧縮空気を含んだドレン水２０３を排出するドレン水出口１ｂを位置させている。  また、自動ドレン水排出装置１は、ドレン水を貯留すること、及びドレン水の位置を確認するドレン水確認手段３１であるドレン水センサー３１存在させているドレン水ポット３０と、ドレン水確認手段３１からドレン水の位置情報を得てドレン水排出電磁弁５０や気体排出電磁弁６０に何等かの信号を送る制御装置４０と、圧縮空気と共にドレン水ポット３０内のドレン水を排出するドレン水排出電磁弁５０と、ドレン水ポット３０内の圧縮空気を排出することによってドレン水ポット３０内を減圧する気体排出手段１３１、１３２、１３３、６０、７０によって構成されている。
【００２９】  そして、ドレン水は圧縮空気と共に、ドレン水入口１ａからドレン水配管１１２によって、ドレン水ポット３０の上部から送り込まれる。  但し、ドレン水配管１１２のドレン水ポット３０内に於ける端部の位置としては、図１に見られるように、中央部より少し下部が望ましいが、ドレン水配管１１２を少しでも短くするという主旨から、出来る限り上部に位置させるということも考えられる。  更に、ドレン水ポット３０の底部からは、ドレン水排出管１２１と、制御装置４０からの何等かの信号によって作動するドレン水排出電磁弁５０と、ドレン水排出管１２２を経由して、ドレン水出口１ｂから圧縮空気を含んだドレン水２０３を排出するようになっている。  但し、ドレン水排出管１２１の接続する位置としては、ドレン水ポット３０の底部でなく、側面の下部に接続することも考えられる。
【００３０】  一方、ドレン水ポット３０は、本体３３の内部に、各種の異物を分離するストレーナ３２と、ドレン水の位置を確認するドレン水確認手段３１であるドレン水センサー３１を存在させている。  ここで、本体３３には、ドレン水配管１１２とドレン水排出管１２１に加えて、気体排出手段１３１である空気配管１３１を接続している。  更に、本体３３には、制御装置４０に対して、水面が下限に到達したという下部リードスィッチ３１ｄからの情報を送る電線１４１と、水面が上限に到達したという上部リードスィッチ３１ｅからの情報を送る電線１４２を接続させている。
【００３１】  ところで、ドレン水の水面の位置を確認するドレン水確認手段３１であるドレン水センサー３１に関しては、常に水面に位置している、磁性体の、ドーナツ状の形状をした電磁フロート３１ａと、ドレン水ポット３０の内部中央に位置している、電磁フロート３１ａのガイドの役目を持っている、非磁性体の、空洞になっていて内部にドレン水を流入させない、外部が円柱の形状をしたパイプ３１ｃと、パイプ３１ｃ内に位置している、電磁フロート３１ａが同一面になると磁気を感じてスィッチが入る下部リードスィッチ３１ｄと、上部リードスィッチ３１ｅより構成されている。  尚、ドレン水確認手段３１であるドレン水センサー３１に関しては、この様な方式に限定する必要はなく、静電容量検出型や、ドレン水抵抗検出型等、その他の色々な方法も考えられる。
【００３２】  更に、ドレン水ポット３０の上部からは、気体排出手段１３１である空気配管１３１と、気体排出手段７０であり流れる気体の流量を調整することが出来る流量調整弁７０と、気体排出手段１３２である空気配管１３２と、気体排出手段６０であり制御装置４０からの何等かの信号によって、この場合一定の時間毎に一定の時間の間、作動する気体排出電磁弁６０と、気体排出手段１３３である空気配管１３３を、ドレン水排出電磁弁５０の下部に位置しているドレン水排出管１２２、１２３の間に接続するように合流させているのである。
【００３３】  この場合には、ドレン水ポット３０に於ける空気配管１３１との位置関係としては、図１に於いては、空気配管１３１がドレン水ポット３０の天井部を貫通して内部に突出した状況を示しているが、突出していない場合も、天井でなく上部の側面に位置することも考えられる。  その他に、流量調整弁７０に関しては、オリフィスを使用しても構わないし、時には空気配管１３１、１３２、１３３で使用する材料の内径によって対応することで省略することも考えられる。
【００３４】  尚、気体排出手段１３１、７０、１３２、６０、１３３の目的とする所は、ドレン水がドレン水配管１１１、１１２を流れようとする中で、ドレン水ポット３０内に圧縮空気が存在することによってドレン水がドレン水ポット３０内に流入しなくなり、この圧縮空気がドレン水ポット３０内に密閉される異常な事態を打開するために、ドレン水ポット３０内の密閉された圧縮空気を排出することが可能なように、ドレン水ポット３０内を減圧する目的で位置させたものである。
【００３５】  また、制御装置４０は、電磁フロート３１ａが水面の変化で上下することによって移動する中で、位置が固定されている下部リードスィッチ３１ｄを電線１４１によって接続することで、更に位置が固定されている上部リードスィッチ３１ｅを電線１４２によって接続することで、水面がこの下限と上限の同じ位置まで下降したり上昇したという情報を得ることが出来るようになっている。  そして、これ等の情報によってドレン水排出電磁弁５０に電線１５１を接続することによって、更に気体排出手段６０に電線１５２を接続することによって、制御装置４０から両者に開閉の指示を出すことが可能となっているのである。
【００３６】  ここで、制御装置４０に関しては、パソコンのような汎用性のあるものを設置して、プログラムによって運用しても構わないし、特定の装置にしか使用することが出来ないが、必要とする動作だけを行なう回路を持った機器として構成することも考えられる。  当然のことながら、ドレン水排出電磁弁５０と気体排出電磁弁６０の各々に、分割して制御装置４０を設けることは考えられるし、ドレン水排出電磁弁５０や気体排出手段６０と一体に構成することも考えられる。
【００３７】  本発明による、自動ドレン水排出装置および排出方法は前述したように構成されており、以下にその動作について説明する。
【００３８】  先ず、エアーコンプレッサ１０を構成している電動機を作動させると、電動機の回転は空気圧縮機に伝えられ大気２０１を吸引して圧縮空気を作り出す。  ここで作り出された圧縮空気は、圧縮空気配管１０１と、エアードライヤーやエアータンクやフィルター等の各種空圧機器２０と、圧縮空気配管１０２を経由して、圧縮空気２０２として送り出されるようになっている。
【００３９】  その際に、各種空圧機器２０に貯蔵されたり通過する圧縮空気によって作り出されたドレン水は、各種空圧機器２０の底部に溜まることになる。  そして、底部に溜まったドレン水は、ドレン水配管１１１と、ドレン水入口１ａと、ドレン水配管１１２を経由してドレン水ポット３０に送り込まれる。  この場合、各種空圧機器２０に関しては、複数組経由することは、十分に考えられるし、その際にはドレン水は合流してドレン水ポット３０に送り込まれることになる。
【００４０】  この場合、ドレン水ポット３０に送り込まれたドレン水は、この装置の使用を開始する一番初めに於いては、ドレン水ポット３０の底部から順次溜まって行き、水面と電磁フロート３１ａと下部リードスィッチ３１ｄが同一平面となる。  しかしながら、初めて下部リードスィッチ３１ｄに到達してからは、通常に繰返してドレン水排出電磁弁５０が作動している状況と合わせて、ドレン水排出電磁弁５０が作動して後には、必ず下部リードスィッチ３１ｄの位置からドレン水が溜まって行き、同時に電磁フロート３１ａも上昇して行く。
【００４１】  そして、水面と電磁フロート３１ａと上部リードスィッチ３１ｅが、同一平面上に位置した時点で、上部リードスィッチ３１ｅが電磁フロート３１ａからの磁気を感知してスィッチを入れ、制御装置４０に水面が上限の位置に到達したとの信号を、電線１４２によって送るのである。  その結果として、ドレン水排出電磁弁５０によるドレン水の排出によって水面の水位は下降して行き、水面と電磁フロート３１ａと下部リードスィッチ３１ｄが同一平面上に位置した時点で、下部リードスィッチ３１ｄが電磁フロート３１ａからの磁気を感知してスィッチを入れ、制御装置４０に水面が下限の位置に到達したとの信号を、電線１４１によって送り、ドレン水排出電磁弁５０によるドレン水の排出を停止することになる。
【００４２】  そこで、前述の動作を制御装置４０に於ける働きで見ると、図２に見られるように、制御装置４０に於いて、上限確認部３０１が、上部リードスィッチ３１ｅからの水面が上限の位置に到達したことを確認する信号を得ると（ＹＥＳ）、ドレン水排出電磁弁の駆動部３０３に対して、電線１５１を介して、ドレン水排出電磁弁５０を開放させてドレン水を排出しなさいという指示を行い、同時に下限確認部３０２に対し、下部リードスィッチ３１ｄからの水面が下限の位置に到達したことの確認を行う。
【００４３】  一方、上限確認部３０１が、上部リードスィッチ３１ｅからの水面が上限の位置に到達したことを確認出来ない場合は（ＮＯ）、何回も上限確認部３０１に於いて、確認の動作を繰り返す。  また、下限確認部３０２に対し、下部リードスィッチ３１ｄからの水面が下限の位置に到達したことの確認をするに際しては、到達していない場合には（ＮＯ），再びドレン水排出電磁弁５０を開放させてドレン水を排出しなさいという指示を行い、同時に下限確認部３０２に対し、下部リードスィッチ３１ｄからの水面が下限の位置に到達したことの確認を行う。  この様に、下限確認部３０２に対し、下部リードスィッチ３１ｄからの水面が下限の位置に到達したことの確認を繰り返し、到達している場合には（ＹＥＳ），上限確認部３０１での上部リードスィッチ３１ｅからの水面が上限の位置に到達したかどうかの確認を行う。
【００４４】  さて、前述のような動作を繰り返す中で、水面が下限から上限、再度下限から上限と繰り返すことになるが、時にはドレン水配管１１１、１１２が細い場合には、ドレン水ポット３０内にドレン水が流れ込まず、ドレン水ポット３０内の圧縮空気が、ドレン水配管１１１、１１２を流れるドレン水によって、そのままドレン水ポット３０内に閉じ込められる場合が有る。
【００４５】  そこで、このような状況を打開するために、気体排出手段１３１、７０、１３２、６０、１３３による一連の配管系統によって、ドレン水ポット３０内に閉じ込められた圧縮空気を、特に制御装置４０による制御をしながら、気体排出電磁弁６０による作動によって一定の時間毎に短い一定の時間の間、この場合圧縮空気の排出による損出が無視することが出来る程度の範囲で行うという点が、本発明の最大の内容であると言う事が出来るのである。
【００４６】  ここで、前述の動作を制御装置４０に於ける働きで見ると、図３に見られるように、制御装置４０に於いて、サイクルタイマ３１１に設定されている一定の時間に到達していると（ＹＥＳ）、排出タイマ３１２に設定されている短い一定の時間の間，気体排出電磁弁の駆動部３１３に対して、電線１５２を介して、気体排出電磁弁６０を開放させなさいという指示を行い、同時にサイクルタイマ３１１に対し、「０」クリアーをすることで時間を０に戻した後に、サイクルタイマ３１１が一定の時間を計時したかどうかの確認を行う。そして、サイクルタイマ３１１が一定の時間に到達していない場合には（ＮＯ）、再度サイクルタイマ３１１が一定の時間を計時したかどうかの確認を繰り返して行うようになっている。
【００４７】  この場合、サイクルタイマ３１１と排出タイマ３１２に設定している具体的な数値としては、１〜５分に見られる一定の時間毎のサイクルに対し、０．５〜１０秒に見られる短時間の間の排出であることが最善であるが、０．５〜１０分に見られる一定の時間毎のサイクルに対し、０．３〜１５秒に見られる短時間の間でもそれなりの効果は十分にみられる。
【００４８】  尚、ここに於いての時間の差は、無駄の排除と、ドレン水ポット３０の大きさと、ドレン水配管１１１、１１２の内径の大きさによって、究極には、圧縮空気の大きさ（容量）と発生する頻度によって設定されるもので、状況に応じて変更することが可能となっている。  但し、一定の時間毎のサイクルに関しては、当然のことながら短ければ、また排出時間に関しても、長ければ、圧縮空気の無駄な排出が多くなり、一定の時間毎のサイクル時間と排出時間のバランスも考慮される必要はある。
【００４９】  所で、ドレン水配管１１１、１１２の太さに関しては、そこを流れるドレン水が、ドレン水ポット３０内の圧縮空気を閉じ込めることによって流れない場合が有るが、太くなれば太い程その可能性が減少して行く。  特に、６ｍｍ以上にすると、発生の頻度をかなり減少すると言うことは出来る。  但し、１２ｍｍ以上の値であっても、それなりの効果は十分に見られるとも言える。
【００５０】〔第二実施例〕
第二実施例が第一実施例と違う点は、図４に見られるように、ドレン水確認手段３１Ａであるドレン水センサー３１Ａに、上部リードスィッチ３１ｅと電線１４２を、位置させていないということである。  従って、それ以外の内容に関しては、第一実施例と全く同じ内容であると考えて良い。  但し、制御装置４０の作動は、その内容に応じて変わることになる。
【００５１】  本発明による、自動ドレン水排出装置および排出方法は前述したように構成されており、以下にその動作について説明する。
【００５２】  この場合、前述のようにドレン水ポット３０Ａ内のドレン水センサー３１Ａに、上限を検知する部分が無いということで、その点をどのように対応しているかということになるのである。
【００５３】  ここで、制御装置４０に於ける働きで見ると、図５に見られるように、制御装置４０に於いて、構成している時間設定部３０５が、一定の時間に到達したことを確認すると（ＹＥＳ）、ドレン水排出電磁弁の駆動部３０３に対して、電線１５１を介して、ドレン水排出電磁弁５０を開放させてドレン水を排出しなさいという指示を行い、同時に下限確認部３０２に対し、下部リードスィッチ３１ｄからの水面が下限の位置に到達したことの確認を行う。
【００５４】  一方、時間設定部３０５が、一定の時間に到達に到達したことを確認出来ない場合は（ＮＯ）、何回も時間設定部３０５に於いて、確認の動作を繰り返す。  また、下限確認部３０２に対し、下部リードスィッチ３１ｄからの水面が下限の位置に到達したことの確認をするに際しては、到達していない場合には（ＮＯ），再びドレン水排出電磁弁５０を開放させてドレン水を排出しなさいという指示を行い、同時に下限確認部３０２に対し、下部リードスィッチ３１ｄからの水面が下限の位置に到達したことの確認を行う。  この様に、下限確認部３０２に対し、下部リードスィッチ３１ｄからの水面が下限の位置に到達したことの確認を繰り返し、到達している場合には（ＹＥＳ），同時に時間設定部３０５に対し、「０」クリアーをした後、時間設定部３０５が一定の時間を計時したかどうかの確認を行う。  そして、前述のような動作を繰り返す中で、水面が下限から上昇、再度下限から上昇と繰り返すことになる。
【産業上の利用可能性】
【００５５】  エアーコンプレッサによって作り出された圧縮空気が各種空圧機器を通過する間に発生したドレン水を排出するためその下流に、ドレン水を貯留する本体及びドレン水の存在を確認するドレン水確認手段を構成したドレン水ポットと、ドレン水ポットの下部に接続し圧縮空気の力でドレン水を排出するドレン水排出電磁弁と、ドレン水確認手段の情報によってドレン水排出電磁弁の制御を行なう制御装置を構成する自動ドレン水排出装置に於いて、ドレン水ポットの上部に接続して、ドレン水ポット内を減圧する気体排出手段を設けたことによって、ドレン水ポット内に圧縮空気が入り込むことにより、ドレン水が流入しにくくなった。  この事によって、前述のような異常事態が発生しない自動ドレン水排出装置を提供することが出来るのである。
【符号の説明】
【００５６】  １・・・・・・・自動ドレン水排出装置
１Ａ・・・・・・自動ドレン水排出装置
１ａ・・・・・・ドレン水入口
１ｂ・・・・・・ドレン水出口
１０・・・・・・エアーコンプレッサ
２０・・・・・・各種空圧機器
３０・・・・・・ドレン水ポット
３０Ａ・・・・・ドレン水ポット
３１・・・・・・ドレン水センサー（ドレン水確認手段）
３１Ａ・・・・・ドレン水センサー（ドレン水確認手段）
３１ａ・・・・・電磁フロート
３１ｃ・・・・・パイプ
３１ｄ・・・・・下部リードスィッチ
３１ｅ・・・・・上部リードスィッチ
３２・・・・・・ストレーナ
３３・・・・・・本体
４０・・・・・・制御装置
５０・・・・・・ドレン水排出電磁弁
６０・・・・・・気体排出電磁弁（気体排出手段）
７０・・・・・・流量調整弁（気体排出手段）
１０１・・・・・圧縮空気配管
１０２・・・・・圧縮空気配管
１１１・・・・・ドレン水配管
１１２・・・・・ドレン水配管
１２１・・・・・ドレン水排出管
１２２・・・・・ドレン水排出管
１２３・・・・・ドレン水排出管
１３１・・・・・空気配管（気体排出手段）
１３２・・・・・空気配管（気体排出手段）
１３３・・・・・空気配管（気体排出手段）
１４１・・・・・電線
１４２・・・・・電線
１５１・・・・・電線
１５２・・・・・電線
２０１・・・・・大気
２０２・・・・・圧縮空気
２０３・・・・・圧縮空気を含んだドレン水
３０１・・・・・上限確認部
３０２・・・・・下限確認部
３０３・・・・・ドレン水排出電磁弁の駆動部
３０５・・・・・時間設定部
３１１・・・・・サイクルタイマ
３１２・・・・・排出タイマ
３１３・・・・・気体排出電磁弁の駆動部
【図１】
0005870378.tif 000002
【図２】
0005870378.tif 000003
【図３】
0005870378.tif 000004
【図４】
0005870378.tif 000005
【図５】
0005870378.tif 000006